(57)【要約】      （修正有）【課題】消火栓弁開閉レバーを設けたレバー操作部の薄型化して筐体内に設置する機器スペースの制約を低減する。【解決手段】消火栓扉１８の内側に配置された操作ボックス７６の側面から延在した駆動軸９６に、消火栓扉１８の開状態で、扉前方の開位置と扉後方の閉位置との間で垂直回りに回動自在に消火栓弁開閉レバー６４を設ける。操作ボックス７６内に配置した第１かさ歯車１０２と第２かさ歯車１０４からなるギア機構は消火栓弁開閉レバー６４による駆動軸９６の垂直回りの回転を扉面と平行な水平回りの回転に変換してプーリー１０８に伝達し、消火栓弁の操作部をプーリー１０８の回転によるワイヤーケーブル８２の索動により回動して開閉させる。【選択図】図１０
2012029969.tif 000002
【特許請求の範囲】
【請求項１】
筐体前面の扉開口部に開閉自在に消火栓扉を配置し、前記筐体に配置した消火栓弁を前記消火栓扉側からの遠隔操作により開閉する消火栓装置に於いて、
前記消火栓扉の内側に配置された操作ボックスと、
前記操作ボックスの側面から取り出された駆動軸に連結され、前記消火栓扉の開状態で、扉前方の開位置と扉後方の閉位置との間で垂直回りに回動自在に設けた消火栓弁開閉レバーと、
前記操作ボックス内に設けられ、前記消火栓弁開閉レバーによる前記駆動軸の垂直回りの回転を扉面と平行な水平回りの回転に変換するギア機構と、
前記操作ボックス内に水平回りに回転自在に設けられ、前記消火栓弁の操作部にワイヤーを介して連結され、前記ギア機構で変換された水平周りの回転の伝達を受けて前記ワイヤーの索動により前記消火栓弁を開閉させるプーリーと、
を備えたことを特徴とする消火栓装置。
【請求項２】
請求項１記載の消火栓装置に於いて、前記ギア機構は、前記駆動軸により垂直回りに回転される第１ねじ歯車と、前記第１ねじ歯車にかみ合って水平回りに回転される第２ねじ歯車を備えたことを特徴とする消火栓装置。
【請求項３】
請求項１記載の消火栓装置に於いて、前記ギア機構は、
前記駆動軸により垂直回りに回転される第１ねじ歯車と、
前記第１ねじ歯車にかみ合って水平回りに回転されるアイドル用ねじ歯車と、
前記アイドル用ねじ歯車にかみ合って同軸に配置された前記プーリーを水平回りに回転させる第２ねじ歯車と、
を備えたことを特徴とする消火栓装置。
【請求項４】
請求項３記載の消火栓装置に於いて、前記第１ねじ歯車、アイドルねじ歯車及び第３ねじ歯車の歯数を同一としたことを特徴とする消火栓装置。
【請求項５】
請求項１記載の消火栓装置に於いて、前記ギア機構は、
前記駆動軸により垂直回りに回転される第１かさ歯車と、
前記第１かさ歯車にかみ合って同軸に配置された前記プーリーを水平回りに回転させる第２かさ歯車と、
を備えたことを特徴とする消火栓装置。
【請求項６】
請求項１記載の消火栓装置に於いて、前記ギア機構は、
前記駆動軸により垂直回りに回転されるウォーム歯車と、
前記ウォーム歯車にかみ合って水平回りに回転されるホイール歯車と、
前記ホイール歯車にかみ合って同軸に配置されたプーリーに増速した水平回転を伝達する増速歯車と、
を備えたことを特徴とする消火栓装置。
【請求項７】
請求項１記載の消火栓装置に於いて、前記消火栓弁開閉レバーを開位置に操作した場合に、レバー先端のハンドルが前記消火栓扉の先端を越えて下側に位置すると共にレバー本体が前記操作ボックスの上部から飛び出さないレバー形状としたことを特徴とする消火栓装置。
【発明の詳細な説明】
【技術分野】
【０００１】
本発明は、消火栓扉を開いて放水ノズル付きホースを引き出して放水する消火栓装置に関する。
【背景技術】
【０００２】
従来、自動車専用道路などのトンネル内には、火災発生時に備えて消火栓装置が設置されている。
【０００３】
図１９は従来の消火栓装置２００の正面図であり、図２０は消火栓装置２００の消火栓扉２０４を開いた状態の内部構造の平面図であり、図２１はその側面図である。消火栓装置２００の筐体２０２の前面には消火栓扉２０４と消火器扉２０６が設けられている。
【０００４】
消火栓扉２０４にはハンドルが設けられ、ハンドルを手前に引くことでロックを解除し、消火栓扉２０４の下側を回転軸に前方に開放することができる。また消火栓扉２０４と筐体２０２との間には緩衝用ダンパ２０８が設けられ、消火栓扉２０４を滑らかに開放できるようにしている。
【０００５】
筐体２０２のホース収納部にはホースバケット構造として、Ｕ字形に形成したフレームパイプ２１５が開口側に配置されている。フレームパイプ２１５の両側にはホースバケット２１６が取り付けられ、内部にホース収納空間を形成し、先端にノズル２１０を装着したホース２１２を筐体内のホースバケット２１６に内巻きして収納している。
【０００６】
ホース２１２はホースバケット２１６の側面板に開口した孔を通してホースバケット２１６内に収納される。その孔には、ホース２１２を引き出したときに、ホース２１２が擦れてホース表面が傷付くことを防ぐために、ホース２１２は保護管２１２ａの中を通ってホースバケット２１６内に入る。
【０００７】
このような消火栓装置２００は火災を伴う車両事故の発生時に、消火栓扉２０４を開いてノズル２１０付きのホース２１２を引き出し、扉内の操作ボックス２１３に設けている消火栓弁開閉レバー２１４を操作することで消火栓弁２２０を開き、同時に図示しないポンプ起動スイッチがレバー開位置でオンし、消火ポンプ設備を起動して放水を行うことができる。
【０００８】
また消火栓扉２０４の内側に逆Ｕ字型のパイプフレームなどを用いたホースガイド２２２を設け、ホース２１４の引っかかりを防ぐためホースガイド２２２を通してホース２１４を引き出すようにしている。
【０００９】
更に消火栓開閉レバー２１４の横にはレバーガード２１８が配置され、手前の開位置に操作した消火栓弁開閉レバー１１４に引き出したホース２１２が当たって閉位置に戻ってしまうことを防止している。
【００１０】
図２２は消火栓開閉レバー１１４による消火栓弁２２０の遠隔開閉機構を示している。消火栓弁２２０の弁軸にはプーリー２２４が装着され、また消火栓開閉レバー２１４は駆動軸２２５に連結されてプーリー２２６を回動操作することができ、チューブを通したワイヤー２２８の一端をプーリー２２６に固定した後、プーリー２２４に巻いて固定部２２６で固定し、再びプーリー２２６に戻して他端を固定している。
【００１１】
このため図示の閉位置にある消火栓弁開閉レバー２１４を手前側に引くように回動すると、ワイヤー２２８を介してプーリー２２４も回動し、消火栓弁２２０を開操作する。また、開操作した消火栓弁開閉レバー２１４を元に戻せば、消火栓弁２２０を閉操作できる。
【先行技術文献】
【特許文献】
【００１２】
【特許文献１】特開２００５−３１８９７２号公報
【発明の概要】
【発明が解決しようとする課題】
【００１３】
しかしながら、このような従来のトンネル消火栓装置にあっては、図２２に示したように、消火栓開閉レバー２１４の垂直回りの操作により回動される駆動軸２２５にプーリー２２６を設けた構造としているため、操作ボックス２１５はプーリー２２６を収納できる高さが必要であり、消火栓扉２０４の裏面における操作ボックス２１５の飛び出し量が大きくなり、操作ボックス２１５は消火栓扉２０４を閉鎖した場合に筐体内に収納されることから、操作ボックス２１５の飛び出し量が大きいと、その分、筐体側に大きな空きスペースを必要とし、筐体内に設置する機器のスペースが制約されるという問題がある。
【００１４】
また、図２１に示したように、消火栓扉の内側にホースガイド２２２を設け、更に、消火栓弁開閉レバー２１４の横にレバーガード２１６を配置し、ホース２１２を右横方向に引き出すときにホース２１２が当たってレバーが戻ってしまうことを防止するようにしているが、レバーガード２１８の高さはレバー操作ができるようにハンドル部分より低い位置としなければならず、レバーガード２１６を超えてレバーのハンドル部分が飛び出しているため、その部分にホース２１２が当たって閉位置に戻ってしまう可能性がある。
【００１５】
本発明は、消火栓弁開閉レバーを設けたレバー操作部の薄型化して筐体内に設置する機器スペースの制約を低減するようにした消火栓装置を提供することを目的とする。
【課題を解決するための手段】
【００１６】
本発明は、筐体前面の扉開口部に開閉自在に消火栓扉を配置し、筐体に配置した消火栓弁を前記消火栓扉側からの遠隔操作により開閉する消火栓装置に於いて、
消火栓扉の内側に配置された操作ボックスと、
操作ボックスの側面に取り出された駆動軸に連結され、消火栓扉の開状態で、扉前方の開位置と扉後方の閉位置との間で垂直回りに回動自在に設けた消火栓弁開閉レバーと、
操作ボックス内に設けられ、消火栓弁開閉レバーによる駆動軸の垂直回りの回転を扉面と平行な水平回りの回転に変換するギア機構と、
操作ボックス内に水平回りに回転自在に設けられ、消火栓弁の操作部にワイヤーを介して連結され、ギア機構で変換された水平周りの回転の伝達を受けてワイヤーの索動により消火栓弁を開閉させるプーリーと、
を備えたことを特徴とする。
【００１７】
ここで、ギア機構は、駆動軸により垂直回りに回転される第１ねじ歯車と、第１ねじ歯車にかみ合って同軸に配置されたプーリーを水平回りに回転させる第２ねじ歯車を備える。
【００１８】
また、ギア機構は、
駆動軸により垂直回りに回転される第１ねじ歯車と、
第１のねじ歯車にかみ合って水平回りに回転されるアイドルねじ歯車と、
アイドルねじ歯車にかみ合って同軸に配置されたプーリーを水平回りに回転させる第２ねじ歯車と、
を備えるようにしても良い。この場合、第１ねじ歯車、アイドルねじ歯車及び第２ねじ歯車の歯数を例えば同一とする。
【００１９】
また、ギア機構は、
駆動軸により垂直回りに回転される第１かさ歯車と、
第１かさ歯車にかみ合って水平回りに回転される第２かさ歯車と、
を備えるようにしても良い。
【００２０】
更に、ギア機構は、
駆動軸により垂直回りに回転されるウォームと、
ウォーム歯車にかみ合って水平回りに回転されるホイール歯車と、
ホイール歯車にかみ合って同軸に配置されたプーリーに増速した水平回転を伝達する増速歯車と、
を備えるようにしても良い。
【００２１】
消火栓弁開閉レバーは、開位置に操作した場合に、レバー先端のハンドルが消火栓扉の先端を越えて下側に位置すると共にレバー本体が操作ボックスの上部から飛び出さないレバー形状とする。
【発明の効果】
【００２２】
本発明によれば、消火栓弁開閉レバーの操作による垂直回りに回転を操作ボックス内に設けたギア機構により水平回りの回転に変換して消火栓弁にワイヤー連結されたプーリーを水平回りに回転して消火栓弁を開閉操作するようにしたため、扉内面に配置した操作ボックスの中に水平回りに回転するようにプーリーを配置することができ、従来の垂直回りにプーリーを回転するように配置していた場合に比べ、操作ボックスを薄型とすることができ、扉内面における飛び出し量を大幅に低減し、消火栓扉の閉鎖に対する筐体内の機器配置スペースの制約を低減することができる。
【００２３】
また、消火栓弁開閉レバーは扉前方に操作した開位置で操作ボックスより低い位置にあるため、消火栓弁開閉レバーに対してホースが当たりにくくなり、ホースの当たりにより消火栓弁開閉レバーが閉位置に戻ってしまうことを確実に防止することができる。
【００２４】
また、消火栓扉の内側に配置した消火栓弁開閉レバーを開位置に操作した場合に、レバー先端のハンドル部が扉先端を越えて下側に位置させることにより、筐体からホースを引き出す際に、開位置に操作している消火栓弁開閉レバーにホースが当たって閉位置に戻ってしまうことを確実に防止することができる。
【００２５】
また、消火栓扉の内面に消火栓弁開閉レバーの開位置からホースの当りによる戻りを防止するために大きく飛び出すガード用の部材を配置する必要がないため、消火栓扉の構造が簡単となり、消火栓扉の閉鎖に対する筐体側スペースの制約もなくすことができる。
【００２６】
更に、消火栓弁開閉レバーにより垂直回りに回動される駆動軸の歯車に、アイドル歯車を介してプーリーと同軸の歯車を噛み合わせたギア構造によれば、アイドル歯車の介在により垂直回りに回動される駆動軸の歯車から離れた位置に水平周りに回動されるプーリーを配置することができ、プーリーの配置高さを低くできることで、消火栓扉内に対する操作ボックスの飛び出し量を更に低減することができる。
【図面の簡単な説明】
【００２７】
【図１】本発明による消火栓装置の実施形態を正面から示した説明図
【図２】図１について扉側を外して本体内部構造を示した正面図
【図３】図１について内部構造を示した平面図
【図４】図１について消火栓扉側を開いた状態を示した正面図
【図５】図１について消火栓扉側を開いた状態を示した右側面図
【図６】図５の消火栓扉の内側に配置した消火栓弁操作部を平面で示した説明図
【図７】図５の消火栓弁操作部を右側面で示した説明図
【図８】図６の操作ボックスの上カバーを外してねじ歯車を用いた消火栓弁操作部の内部構造を平面で示した説明図
【図９】図７のプーリーを外して消火栓弁操作部の内部構造を平面断面で示した説明図
【図１０】図６の消火栓弁操作部の内部構造を側面断面で示した説明図
【図１１】ねじ歯車を用いた消火栓弁操作部の他の実施形態の内部構造を平面で示した説明図
【図１２】図１１のプーリーを外して消火栓弁操作部の内部構造を平面断面で示した説明図
【図１３】図１１の消火栓弁操作部の内部構造を側面断面で示した説明図
【図１４】かさ歯車を用いた消火栓弁操作部の内部構造を平面断面で示した説明図
【図１５】図１４の消火栓弁操作部の内部構造を側面断面で示した説明図
【図１６】ウォームギアを用いた消火栓弁操作部の内部構造を平面断面で示した説明図
【図１７】図１６のプーリーを外して消火栓弁操作部の内部構造を平面断面で示した説明図
【図１８】図１６の消火栓弁操作部の内部構造を側面断面で示した説明図
【図１９】従来の消火栓装置の扉を外して内部構造を示した正面図
【図２０】従来の消火栓装置の扉を開放して内部構造を示した平面図
【図２１】従来の消火栓装置の扉を開放して内部構造を示した側面図
【図２２】従来の消火栓装置における消火栓弁遠隔操作機構を示した側面図
【発明を実施するための形態】
【００２８】
図１は本発明によるトンネルに設置される消火栓装置の実施形態を示した正面図である。図１において、消火栓装置１０は、消火栓側の筐体１２−１と消火器側の筐体１２−２に分割した構造であり、前面に化粧板１４−１，１４−２を装着しており、筐体１２−１，１２−２に対し必要な機器及び部材を組付けた後に連結固定部材で筐体側面同士を固定した状態とし、この状態でトンネル現場に搬入して架台１１上に設置している。
【００２９】
化粧板１４−１，１４−２には扉開口部１６，１７が設けられている。筐体１２−１の扉開口部１６には、消火栓扉１８と保守扉２２が設けられており、その内部がホース収納空間及びバルブ類収納空間となっている。
【００３０】
消火栓扉１８は、扉開口部１６に対し下側の軸となる回転軸２１を中心に下向きに開閉自在に設けられており、マグネットと受け板を用いたロック機構により閉止位置に閉じている。消火栓扉１８は、ハンドル２０を手前に引いてロック機構の磁気吸着ロックを外すことで前方に開閉することができる。
【００３１】
扉開口部１６は内部のホース収納空間に形成されたホース取出口に相対して筐体全部の略中央に形成され、扉下部の回転軸２１による消火栓扉１８の軸支による回動支持で下向きに開放した場合、消火栓扉１８は斜め下向きの開放位置に開放される。
【００３２】
消火栓扉１８の上には扉上端側に回動軸を有し上方前向きに開閉する保守扉２２が設けられており、マグネットと受け板を用いたロック機構により磁気吸着により閉止位置に保持されており、点検時に消火栓扉１８を開放した後に保守扉２２の下端を手前に引くことで開くことができる。
【００３３】
筐体１２−２の扉開口部１７の右側には通報装置扉２４が設けられ、ここに赤色表示灯２６、発信機２８、及び応答ランプ３０を設けている。なお、通報装置扉２４の内側には図２に示すように電話ジャック３１を設けている。
【００３４】
赤色表示灯２６は常時点灯し、消火栓装置１０の設置場所が遠方から分かるようにしている。火災時には、発信機２８を押してスイッチをオンすると、発信信号が監視室の火災受信機に送信されて火災警報が出され、これに伴い応答信号が火災受信機から送られて、応答ランプ３０を点灯する。
【００３５】
扉開口部１７の左側には消火器扉３２が設けられ、消火器扉３２に対応した筐体１２−２の内部を消火器収納空間とし、例えば２本の消火器を収納している。消火器扉３２にはハンドル３４が設けられ、ハンドル３４を手前に引くとラッチが外れ、消火器扉３２は左側を回転軸として前方に開くことができる。また、消火器扉３４の下側には覗き窓３５が設けられ、外部から消火器の収納状態の有無を確認できるようにしている。
【００３６】
図２は図１の実施形態について筐体１２−１側の消火栓扉を外し、保守扉２２は上向きに開いてステー２７で支持した状態で内部構造を示した正面図である。なお、保守扉２２は、消火栓装置の保守以外には通常閉じられており、消火作業時も閉められたままで消火栓扉１８のみ開放される。
【００３７】
図２において、筐体１２−１の左側にはホース収納空間３６が形成され、右側にバルブ類収納空間３８を形成している。ホース収納空間３６には、その周囲を囲んでホース４４を押えるホースバケット構造４０が設けられている。
【００３８】
ホースバケット構造４０は、横２本、縦２本のフレームを組み合わせており、扉開口部１６の左右方向における略中央となる位置にホース取出口４２を仕切り形成している。ホース取出口４２の下側には張出ホースガイド４６が設けられ、ホース４４を左方向に引き出す際の急激な折れ曲がりを緩和して滑らかな引き出しを可能とする。
【００３９】
ホースバケット構造４０及び筐体内壁で囲まれたホース収納空間３６にはホース４４が内巻きして収納されている。ここで、右側のバルブ類収納空間３８の下部にはホース接続口４８が配置されており、ホース接続口４８にホース４４の１次側を接続した後、ホース４４をホース収納空間３６に巻き込むことになるが、この場合のホース４４の巻き込みは、扉開口部１６から見て右巻きとなるように巻き込んでいる。
【００４０】
即ち、ホース接続口４８に接続したホース４４は、まず筐体１２−１の下側内壁に沿うようにホース収納空間３６方向に向かい、ホース収納空間３６の下側から巻き込まれ、その後に、右回りに収納空間内に巻き込まれ、最後にノズルを装着したホース先端を扉開口部１６の中央付近に形成されたホース取出口４２から取り出している。
【００４１】
筐体１２−１に設けたホース収納空間３６の右側に配置したバルブ類収納空間３８には、ポンプ設備からの配管が接続される消火栓接続口５０からホース接続口４８に至る配管系統に、給水弁５２、消火栓弁５４、自動調圧弁５6、自動排水弁（図示せず）、及びメンテナンス装置５８（図５参照）を設けている。このうち消火栓弁５４には消火栓扉の内側に配置される消火栓弁開閉レバーとワイヤーリンクで連結されて遠隔的に開閉操作されるプーリー６０が弁軸に連結されている。
【００４２】
また給水弁５２の手前にはポンプ起動スイッチ６２が配置される。給水弁５２及びポンプ起動スイッチ５５は消防隊が消火時に操作する機器であり、消火栓扉１８を開いても保守扉２２により隠されており、消火栓装置を操作しようとするユーザに見せないことで、不要な混乱を起させないようにしている。
【００４３】
図３は、図１について内部構造を示した平面図である。図３において、筐体１２−１、１２−２は連結固定部１５においてボルトにより固定されている。筐体１２−１のホース収納空間３６には平面から見て横Ｌ字形にホースバケット構造４０が配置され、筐体内壁との間に形成したホース収納空間３６にホース４４を右巻きにより内巻き状態で収納している。また、消火器収納空間３９には２本の消火器３７が収納されている。
【００４４】
ホースバケット構造４０の中に図２のように仕切り形成したホース取出口４２の下側には、張出ホースガイド４６が設けられており、張出ホースガイド４６はその内側にホース４４の外径に略相当する幅の張出スペースを確保している。勿論、張出ホースガイド４６の張出し量は、消火栓扉１８を閉鎖したときに当らない位置となるように前方に張り出しており、ホース１本が少なくとも入る幅を有するとよりよい。
【００４５】
ホースバケット構造４０に設けた上部の横フレーム部材にはゴムブッシュなどのホース滑り止め部材６６が装着されてホース収納空間３６内でのホースの収納状態を維持する。
【００４６】
図４は図１の消火栓装置１０における消火栓扉１８を開いた状態を示した正面図である。図１の消火栓扉１８に設けたハンドル２０を手前に引いてロックを外すと、消火栓扉１８は斜め下向きとなる位置に開放する。消火栓扉１８の内側には消火栓弁開閉レバー６４を備えた操作ボックス７６が配置される。また消火栓扉１８の内部左側のホルダー６８にはホース先端に装着したノズル４５が着脱自在に保持されている。
【００４７】
図５は図１について筐体の内部構造を示した右側面図であり、消火栓扉１８及び保守扉２２を開いた状態で示している。消火栓扉１８は斜め下向きに開放し、扉内側には操作ボックス７６が配置され、操作ボックス７６の横に消火栓弁開閉レバー６４を垂直回りに回動操作可能に設け、消火栓弁５４を遠隔操作により開閉するようにしている。消火栓弁開閉レバー６４は図示の後方に回動した位置を閉位置とし、前方の想像線で示す消火栓弁開閉レバー６４ａの位置が開位置となる。消火栓扉１８を斜め下向きに開放することで、ホース４４を引き出した際にホース４４が消火栓開閉レバー６４に接触しづらくなり、ホース４４の移動で消火栓開閉レバー６４が誤って開閉が切り替わることを防いでいる。
【００４８】
操作ボックス７６の後方からはワイヤーチューブ８８，９０が引き出され、その中にワイヤーケーブル８２，８４を移動自在に通している。ワイヤーケーブル８２，８４は消火栓弁５４の弁軸に設けたプーリー６０に連結されると共に操作ボックス７６内に設けた後の説明で明らかにするプーリーと連結されて遠隔操作機構を構成している。
【００４９】
このような遠隔操作機構により、消火栓弁開閉レバー６４を図示の閉位置から想像線で示す消火栓弁開閉レバー６４ａで示す開位置に操作すると、操作ボックス７６内のプーリーが一体に回転し、これに伴いワイヤーケーブル８２，８４を介してプーリー６０が回転し、消火栓弁５４を閉位置から開位置に操作することができる。
【００５０】
図６は図５の消火栓扉の内側に配置した消火栓弁操作部の実施形態を平面で示した説明図であり、図７に右側面を示している。
【００５１】
図６及び図７において、消火栓扉１８の内側には、縦に長い箱形の操作ボックス７６が配置され、操作ボックス７６の左側面の扉先端側から取り出した駆動軸９６の軸端に消火栓弁開閉レバー６４の基部を連結し、レバー先端にはハンドル７８が横向きに装着されている。
【００５２】
消火栓弁開閉レバー６４は、駆動軸９６を中心に垂直回りに回動操作することができ、図７に示すように、後方に回動した位置を閉位置とし、前方の想像線で示す消火栓弁開閉レバー６４ａの位置が開位置となる。
【００５３】
消火栓弁開閉レバー６４は後方に回動した閉位置でレバー先端のハンドル７８が操作ボックス７６の上部に位置し、消火栓扉１８を開いた状態で外部からハンドル７８を握って手前に引き降ろして開位置に回動する操作が容易にできるようにしている。また、消火栓開閉レバー６４を想像線で示す消火栓弁開閉レバー６４ａで示す開放位置に操作した場合、レバー先端のハンドル７８が想像線で示すハンドル７８ａのように、消火栓扉１８の先端を越えて下側に位置し、且つレバー本体は操作ボックス７６の上部に揃う水平な状態に位置する屈曲形状としている。
【００５４】
このように消火栓弁開閉レバー６４を開位置に操作した場合、消火栓扉１８の内側に配置した操作ボックス７６を越えてレバー部分が飛び出すことがなく、このため図４に示すノズル４５を取り外してホース４４を、操作ボックス７６を配置している右方向に引き出したとしても、開位置にある消火栓弁開閉レバー６４に引き出したホース４４が当たることがなく、ホース４４が消火栓弁開閉レバー６４に当って閉位置に戻ってしまうことを確実に防止できる。
【００５５】
また、想像線で示すように消火栓弁開閉レバー６４を開位置に操作したまま、消火栓扉１８を閉じようとすると、筐体側の扉開口に消火栓弁開閉レバー７８がぶつかって消火栓扉１８を閉止できず、このため消火終了時や施工時に消火栓弁開閉レバー６４の閉止位置への戻し忘れを確実に防ぐことができる。
【００５６】
図８は図６の操作ボックスの上カバーを外してねじ歯車を用いた消火栓弁操作部の内部構造を平面で示した説明図である。図８において、操作ボックス７６は外カバー７６ａの中に内カバー７６ｂを配置している。内カバー７６ｂには一対の軸受９８が設けられ、軸受９８に対し駆動軸９６を回動自在に装着しており、駆動軸９６の右端は外カバー７６ａ内に位置するが、駆動軸９６の左端は外カバー７６ａを貫通して外側に取り出され、そこに消火栓弁開閉レバー６４の基部を固定している。
【００５７】
また内カバー７６ｂには垂直軸により扉面と平行な水平回りに回動自在にプーリー１０８を配置している。プーリー１０８はギア機構を介して駆動軸９６に連結されており、消火栓弁開閉レバー６４の垂直回りの操作による駆動軸９６の垂直回りの回転を、ギア機構を介してプーリー１０８に伝達し、プーリー１０８を水平回りに回転可能としている。
【００５８】
プーリー１０８には図５に示した消火栓弁５４の操作軸に設けたプーリー６０に連結したワイヤーケーブル８２，８４が内カバー７６ｂの後端にコネクタ部材１１０，１１２で固定したワイヤーチューブ８８，９０を通して連結されており、消火栓弁５４を開閉操作する遠隔開閉機構を構成している。
【００５９】
ここで消火栓弁５４側のプーリー６０とレバー側のプーリー１０８の回転量は、ワイヤーの連結半径が同一であれば、同じ角度だけ回転する。通常、消火栓弁５４の開閉のための回転角度は９０°である。本実施形態にあっては、消火栓弁開閉レバー６４の開閉ための回転角は約１８０°となる。この場合には、レバー側のプーリー１０８のワイヤー連結半径を小さくし、消火栓弁５４側のプーリー６０のワイヤー連結半径を大きくすることで、異なる回転角による遠隔操作ができる。
【００６０】
図９は図７のプーリーを外して消火栓弁操作部の内部構造を平面断面で示した説明図である。図９において、内カバー７６ｂに設けた一対の軸受９８に対しては駆動軸９６が回転自在に装着され、軸受９８にはシール１００が内蔵され、内部を密閉している。
【００６１】
ギア機構は第１ねじ歯車１０２と第２ねじ歯車１０４で構成される。第１ねじ歯車１０２は駆動軸９６に固定され、消火栓弁開閉レバー６４の操作により駆動軸９６を介して垂直周りに回転される。第１ねじ歯車１０２に対し第２ねじ歯車１０４はオフセットした位置に設けた垂直軸１０６に水平回りに回転自在に装着されて噛み合っており、第１ねじ歯車１０２の垂直回りの回転を、第２ねじ歯車１０４により水平回りの回転に変換してプーリー１０８に伝達する。
【００６２】
図１０は図６の消火栓弁操作部の内部構造を側面断面で示した説明図であり、水平方向に配置した駆動軸９６の第１ねじ歯車１０２に対し、第２ねじ歯車１０４はオフセットして直交配置した垂直軸１０６に装着されており、第２ねじ歯車１０４の上部にプーリー１０８を固定している。
【００６３】
第１ねじ歯車１０２と第２ねじ歯車１０４によるギア機構は、消火栓弁開閉レバー６４の操作による垂直回りの回転をプーリー１０８に対する水平回りの回転に変換して伝達しているため、操作ボックス７６内にプーリー１０８を横に配置して回転させることができ、図１９の従来例ではプーリーを縦に配置していたためプーリーの径に対応した操作ボックス７６の高さを必要としてたものが、本実施形態ではプーリー１０８の厚さとギア機構に対応した高さで済み、操作ボックス７６を薄型化し、消火栓扉１８を閉鎖した場合の筐体側に確保しなければならないスペースを低減し、筐体内に対する機器設置スペースの制約を抑制できる。
【００６４】
図１１はギア機構にねじ歯車を用いた消火栓弁操作部の他の実施形態を内部構造の平面で示した説明図であり、図６の操作ボックスの上カバーを外した状態で示している。
【００６５】
図１１において、操作ボックス７６は外カバー７６ａの中に内カバー７６ｂを配置し、内カバー７６ｂの軸受９８に対し駆動軸９６を回動自在に装着しており、駆動軸９６の右端は外カバー７６内に位置するが、駆動軸９６の左端は外カバー７６ａを貫通して外側に取り出され、そこに消火栓弁開閉レバー６４の基部を固定している。
【００６６】
また内カバー７６ｂには垂直軸により扉面と平行な水平回りに回動自在にプーリー９６を配置している。プーリー１０８はギア機構を介して駆動軸９６に連結されており、消火栓弁開閉レバー６４の垂直回りの操作による駆動軸９６の垂直回りの回転を、ギア機構を介してプーリー１０８に伝達し、プーリー１０８を水平回りに回転可能としている。
【００６７】
ギア機構は、第１ねじ歯車１０２、アイドルねじ歯車１５０及び第２ねじ歯車１０４で構成される。第１ねじ歯車１０２は駆動軸９８に設けられ垂直周りに回動する。第２ねじ歯車１０４は上側にプーリー１０８を同軸に固定している。第１ねじ歯車１０２と第２ねじ歯車１０４の間にはアイドルねじ歯車１５０が配置され、第１ねじ歯車１０２からプーリー１０８を遠避けて干渉しない位置に配置している。
【００６８】
ギア機構を構成する第１ねじ歯車１０２、アイドルねじ歯車１５０及び第２ねじ歯車１０４の歯数はそれぞれ同一であり、消火栓開閉レバー６４の回転角に応じた回転がそのまま第２ギア１０４に伝達されてプーリー１０８を回転することになる。なお、第１ねじ歯車１０２と第２ねじ歯車１０４の歯数を同一とし、アイドルねじ歯車１５０の歯数を異ならせることで、増速または減速した回転をプーリー１０８に伝達することもできる。
【００６９】
プーリー１０８には図５に示した消火栓弁５４の操作軸に設けたプーリー６０に連結したワイヤーケーブル８２，８４が内カバー７６ｂの後端にコネクタ部材１１０，１１２で固定したワイヤーチューブ８８，９０を通して連結されており、消火栓弁５４を開閉操作する遠隔開閉機構を構成している。
【００７０】
図１２は図１１のプーリーを外して消火栓弁操作部の内部構造を平面断面で示した説明図である。図１２において、内カバー７６ｂに設けた一対の軸受９８に対しては駆動軸９６が回転自在に装着され、軸受９８にはシール１００が内蔵され、内部を密閉している。
【００７１】
ギア機構を構成する第１ねじ歯車１０２は駆動軸９６に固定され、消火栓弁開閉レバー６４の操作により駆動軸９６を介して垂直周りに回転される。第１ねじ歯車１０２に対しアイドルねじ歯車１５０はオフセットした位置に設けた垂直軸１５２に水平回りに回転自在に装着されて噛み合っており、更に、アイドルねじ歯車１５０にはオフセットした位置に設けた垂直軸１０６に水平回りに回転自在に設けた第２ねじ歯車１０４が噛み合っている。第１ねじ歯車１０２の垂直回りの回転は、アイドルねじ歯車１５０により水平回りの回転に変換され、更に第２ねじ歯車１０４に水平回りの回転として伝達され、第２ねじ歯車１０４により同軸に固定したプーリー１０８を水平回りに回転する。
【００７２】
図１３は図１１の消火栓弁操作部の内部構造を側面断面で示した説明図であり、水平方向に配置した駆動軸９６の第１ねじ歯車１０２に対し、アイドルねじ歯車１５０はオフセットして直交配置した垂直軸１５２に装着されており、更にアイドルねじ歯車１５０に対し、第２ねじ歯車１０４がオフセットした垂直軸１０６に装着されており、第２ねじ歯車１０４の上部にプーリー１０８を固定している。
【００７３】
このように駆動軸９６の第１ねじ歯車１０２と、プーリー１０８を固定した第２ねじ歯車１０４との間にアイドルねじ歯車１５０を介在させることで、第２ねじ歯車１０４に固定したプーリー１０８を扉奥行き方向（図で左側）に離すことができ、第１ねじ歯車１０２とプーリー１０８が干渉しない配置とすることができる。
【００７４】
ここで図１０の実施形態にあっては、第１ねじ歯車１０２とプーリー１０８を固定した第２ねじ歯車１０４を直接噛み合わせており、そのためプーリー１０８が第１ねじ歯車１０２に干渉しないように、操作ボックス７６内の高い位置に配置している。これに対し図１３のギア機構にあっては、アイドルねじ歯車１５０を介在させたことで、第２ねじ歯車１０４に同軸に固定しているプーリー１０８を第１ねじ歯車１０２に干渉しない位置に離して配置することができ、このためプーリー１０８の高さ方向の位置を、図１０の実施形態と比較して第１ねじ歯車１０２の上端より低い位置に配置することができる。
【００７５】
その結果、図１３の実施形態にあっては、操作ボックス７６における外カバー７６ｃの上端を、想像線で示す図１１の上カバー７６ｃ‘の上端位置よりΔＨだけ低くすることができ、消火栓扉１８の内側に配置した操作ボックス７６の飛び出し量を更に低減してより薄型化し、消火栓扉１８を閉鎖した場合の筐体側に確保しなければならないスペースを低減し、筐体内に対する機器設置スペースの制約を抑制できる。
【００７６】
図１４はギア機構としてかさ歯車を用いた消火栓弁操作部の他の実施形態を平面断面で示した説明図であり、図１５に側面断面を示している。
【００７７】
図１４及び図１５において、操作ボックス７６は内カバー７６ｂに設けた一対の軸受９８に対し駆動軸９６を回動自在に装着しており、駆動軸９６の左端は外カバー７６ａを貫通して外側に取り出され、そこに消火栓弁開閉レバー６４の基部を固定している。
【００７８】
駆動軸９６には第１かさ歯車１１４が固定され、その下側の垂直軸１０６に第２かさ歯車１１６が配置され、第１かさ歯車１１４に噛み合っている。第２かさ歯車１１６を配置した垂直軸１０６にはプーリー１０８が配置され、プーリー１０８は第２かさ歯車１１６と一体に回転する。
【００７９】
第１かさ歯車１１４と第２かさ歯車１１６からなるギア機構は、消火栓弁開閉レバー６４の垂直回りの操作による駆動軸９６の垂直回りの回転を第１かさ歯車１１４から第２かさ歯車１１６に伝達して水平回りの回転に変換し、プーリー１０８を水平回りに回転している。
【００８０】
プーリー１０８には図５に示した消火栓弁５４の操作軸に設けたプーリー６０に連結したワイヤーケーブル８２，８４が内カバー７６ｂの後端にコネクタ部材１１０，１１２で固定したワイヤーチューブ８８，９０を通して連結されており、消火栓弁５４を開閉操作する遠隔開閉機構を構成している。
【００８１】
本実施形態にあっても、第１かさ歯車１１４と第２かさ歯車１１６によるギア機構は、消火栓弁開閉レバー６４の操作による垂直回りの回転をプーリー１０８に対する水平回りの回転に変換して伝達しているため、操作ボックス７６内にプーリー１０８を横に配置して回転させることができ、従来、プーリーを縦に配置していたためにプーリーの径に対応した操作ボックス７６の高さを必要としていたものが、本実施形態ではプーリー１０８の厚さとギア機構に対応した高さで済み、操作ボックス７６を薄型化し、消火栓扉１８を閉鎖した場合の筐体側に確保しなければならないスペースを低減し、筐体内に対する機器設置スペースの制約を抑制できる。
【００８２】
また、消火栓弁開閉レバー６４を開位置に操作した場合、消火栓扉１８の内側に配置した操作ボックス７６を越えてレバー部分が飛び出すことがなく、このため図４に示すノズル４５を取り外してホース４４を、操作ボックス７６を配置している右方向に引き出したとしても、開位置にある消火栓弁開閉レバー６４に引き出したホース４４が当たることがなく、ホース４４が消火栓弁開閉レバー６４に当って閉位置に戻ってしまうことを確実に防止できる。
【００８３】
図１６はギア機構としてウォームギアを用いた消火栓弁操作部の他の実施形態を平面断面で示した説明図であり、図１７にプーリーを外した内部構造を示し、更に図１８に側面断面を示している。
【００８４】
図１６乃至図１８において、操作ボックス７６は内カバー７６ｂに設けた一対の軸受９８に対し駆動軸９６を回動自在に装着しており、駆動軸９６の左端は外カバー７６ａを貫通して外側に取り出され、そこに消火栓弁開閉レバー６４の基部を固定している。
【００８５】
駆動軸９６の略中央にはウォーム歯車１１８が形成され、ウォーム歯車１１８は垂直軸１１２２に配置したウォームホイール１２０に噛み合っている。ウォームホイール１２０には垂直軸１２６に配置した増速歯車１２４が噛み合い、更に垂直軸１２６の上側にはプーリー１０８が配置され、増速歯車１２４と一体に回転するようにしている。
【００８６】
ウォーム歯車１１８、ウォームホイール１２０及び増速歯車１２４からなるギア機構は、消火栓弁開閉レバー６４の垂直回りの操作により駆動軸９６のウォーム歯車１１８を垂直回りに回転し、ウォーム歯車１１８の回転をウォームホイール１２０に伝達して水平回りの回転に変換し、更に、ウォームホイール１２０の回転を増速歯車１２４により増速してプーリー１０８を水平回りに回転している。
【００８７】
ここで消火栓弁開閉レバー６４の開閉時の操作角は約１８０°程度であり、このため駆動軸９６のウォーム歯車１１８の回転量は約１／２回転であり、これに噛み合うウォームホイール１２０の回転量も少ない。そこでウォームホイール１２０に歯数の少ない増速歯車１２４を噛み合わせることで回転量を増大し、消火栓弁の開閉に必要なプーリー１０８の回転量を得るようにしている。
【００８８】
プーリー１０８には図５に示した消火栓弁５４の操作軸に設けたプーリー６０に連結したワイヤーケーブル８２，８４が内カバー７６ｂの後端にコネクタ部材１１０，１１２で固定したワイヤーチューブ８８，９０を通して連結されており、消火栓弁５４を開閉操作する遠隔開閉機構を構成している。
【００８９】
本実施形態にあっても、ウォーム歯車１１８、ウォームホイール１２０及び増速歯車１２４からなるギア機構は、消火栓弁開閉レバー６４の操作による垂直回りの回転をプーリー１０８に対する水平回りの回転に変換して伝達しているため、操作ボックス７６内にプーリー１０８を横に配置して回転させることができ、従来、プーリーを縦に配置していたためにプーリーの径に対応した操作ボックス７６の高さを必要としていたものが、本実施形態ではプーリー１０８の厚さとギア機構に対応した高さで済み、操作ボックス７６を薄型化し、消火栓扉１８を閉鎖した場合の筐体側に確保しなければならないスペースを低減し、筐体内に対する機器設置スペースの制約を抑制できる。
【００９０】
また、消火栓弁開閉レバー６４を開位置に操作した場合、消火栓扉１８の内側に配置した操作ボックス７６を越えてレバー部分が飛び出すことがなく、このため図４に示すノズル４５を取り外してホース４４を、操作ボックス７６を配置している右方向に引き出したとしても、開位置にある消火栓弁開閉レバー６４に引き出したホース４４が当たることがなく、ホース４４が消火栓弁開閉レバー６４に当って閉位置に戻ってしまうことを確実に防止できる。
【００９１】
また、図１８について、ウォーム歯車１１８の駆動軸９６を更に低い位置に下げ、これに対応してホイール歯車１２０及び増速歯車１２４も低い位置に下げて配置し、これによって垂直軸１２６のプーリー１２０を低い位置に下げ、その結果、操作ボックス７６の上カバー７６ｃの高さを低くして消火栓扉１８の内側に対する飛び出し高さを低減するようにしても良い。
【００９２】
なお、上記の実施形態は消火栓扉を斜め下向きに開放して扉内側の消火栓弁開閉レバーを操作する場合を例にとっているが、図２０及び図２１に示した従来例と同様、消火栓扉を水平位置に開放する構造や下向きに開放する構造の消火栓装置についても、そのまま適用することができる。
【００９３】
また、上記の実施形態にあっては、消火栓弁開閉レバーの操作による垂直回りの回転をプーリーの水平回りの回転に変換するギア機構として、ねじ歯車、かさ歯車、ウォームギアを例にとっているが、これに限定されず、垂直回りに回転を水平回りの回転に変換する適宜のギア機構を含む。
【００９４】
操作ボックス７６の形状は任意の形状で良いが、ボックス内部の歯車が外部と密閉されて、火災時に確実に消火栓弁開閉レバーの操作ができる構造とする方が良い。
【００９５】
また上記の実施形態においては消火栓弁開閉レバー６４が操作ボックス７６の左側面側に設けた構成としているが、これに限らず、開閉レバーの駆動軸９６の両側面から開閉レバーを延ばしてハンドル７８の両端に接続する構成であっても良い。この場合は、操作ボックス７６の横幅をハンドル７８の長さよりも短く設計して、消火栓弁開閉レバー６４を開放操作した際に、駆動軸９６の両端から伸びたレバーの間に操作ボックス７６が収容される構成とする。
【００９６】
また図４に示したように、ノズル４５を消火栓扉１８の内側のホルダーに装着しているが、ホースバケット構造４０における右側のプレートの部分にホルダーを設け、ここに横向きにノズル４５を配置しても良い。
【００９７】
また、上記の実施形態にあっては、筐体を消火栓側と消火器側とに分割した場合を例にとっているが、一体型の筐体構造についても、同様に上記の実施形態のホース取出口を扉開口部の略中央に配置したホースバケット構造を適用することができる。
【００９８】
また、ホース収納空間３６とバルブ収納空間３８は逆に配置されても良い。
【００９９】
また本発明は、その目的と利点を損なうことのない適宜の変形を含み、更に上記の実施形態に示した数値による限定は受けない。
【符号の説明】
【０１００】
１０：消火栓装置
１２−１，１２−２：筐体
１８：消火栓扉
５４：消火栓弁
６４：消火栓弁開閉レバー
７６：操作ボックス
７６ａ：外カバー
７６ｂ：内カバー
７６ｃ：上カバー
７８：ハンドル
８２，８４：ワイヤーケーブル
８８，９０：ワイヤーチューブ
９６：駆動軸
１０２：第１ねじ歯車
１０４：第２ねじ歯車
１０６，１２２，１２６：垂直軸
１０８：プーリー
１１２，１１４：接続コネクタ
１１４：第１かさ歯車
１１６：第２かさ歯車
１１８：ウォーム歯車
１２０：ウォームホイール
１２４：増速歯車
１５０：アイドルねじ歯車
【図１】
2012029969.tif 000003
【図２】
2012029969.tif 000004
【図３】
2012029969.tif 000005
【図４】
2012029969.tif 000006
【図５】
2012029969.tif 000007
【図６】
2012029969.tif 000008
【図７】
2012029969.tif 000009
【図８】
2012029969.tif 000010
【図９】
2012029969.tif 000011
【図１０】
2012029969.tif 000012
【図１１】
2012029969.tif 000013
【図１２】
2012029969.tif 000014
【図１３】
2012029969.tif 000015
【図１４】
2012029969.tif 000016
【図１５】
2012029969.tif 000017
【図１６】
2012029969.tif 000018
【図１７】
2012029969.tif 000019
【図１８】
2012029969.tif 000020
【図１９】
2012029969.tif 000021
【図２０】
2012029969.tif 000022
【図２１】
2012029969.tif 000023
【図２２】
2012029969.tif 000024